(57)【特許請求の範囲】
【請求項１】
屋根下地の上面に断熱材を設けてこの断熱材を防水シートで覆った屋根において、
頭部およびこの頭部から下方に延びる複数の脚部を有し前記複数の脚部が前記断熱材に上面から突き刺さって前記屋根下地上に乗りかつ前記頭部の上面が前記断熱材の上面と略同じレベルにあって前記断熱材と共に前記防水シートで覆われる受け具と、
前記防水シートの上から前記受け具上に配置され上面から防水シートおよび前記受け具を貫通するねじ部材で前記屋根下地に固定される嵩上げ基台と、
この嵩上げ基台の周辺の前記防水シートの上面部分に渡って前記嵩上げ基台を覆う防水覆い材と、
この防水覆い材を介して前記嵩上げ基台にその上面から側面に渡って被さり、ねじ部材で嵩上げ基台の側面に固定される断面逆Ｕ字状の嵩上げ基台カバーと、
レール状に延びるつかみ具取付け用頭部を有し前記嵩上げ基台カバー上に配置されて嵩上げ基台カバーにねじ部材で固定される固定レールと、
架台のフレームに取付けられ前記固定レールの前記つかみ具取付け用頭部につかみ状態に取付けられるつかみ具、
とを備えた屋根の架台設置構造。
【請求項２】
請求項１において、前記つかみ具から前記固定レールに作用する持ち上げ方向の荷重に対して、前記嵩上げ基台カバーの前記ねじ部材による前記嵩上げ基台への固定部分よりも、前記固定レールの前記ねじ部材による前記嵩上げ基台カバーへの固定部分の方が破損し易いようにした屋根の架台設置構造。
【請求項３】
請求項１または請求項２において、前記嵩上げ基台が、断面Ｕ字状の外側金属部材と、この外側金属部材の内側に嵌合する断面逆Ｕ字状の内側金属部材との組合せ体からなり、前記内側金属部材の内部空間に断熱材が充填される屋根の架台設置構造。
【請求項４】
請求項３において、前記嵩上げ基台の外側金属部材側面部と内側金属部材側面部との間に、前記嵩上げ基台カバーを固定するねじ部材が貫通しその貫通孔とねじ部材との間を密封するシール用テープが配置される屋根の架台設置構造。
【請求項５】
請求項１または請求項２において、前記嵩上げ基台が断面Ｕ字状の金属部材単体からなり、この金属部材単体の内部空間に硬質ウレタンフォームが充填される屋根の架台設置構造。
【請求項６】
請求項５において、前記嵩上げ基台を構成する金属部材単体の外側面に、前記嵩上げ基台カバーを固定するねじ部材が貫通しその貫通孔とねじ部材との間を密封するシール用テープが配置される屋根の架台設置構造。
【請求項７】
請求項１ないし請求項６のいずれか１項において、前記屋根下地がデッキプレートであり、このデッキプレートの波山部分の上面に前記受け具が配置され、前記固定レールの前記つかみ具取付け用頭部は前記デッキプレートの波山部分の稜線方向に沿って延びる屋根の架台設置構造。
【請求項８】
請求項１ないし請求項６のいずれか１項において、前記屋根下地がＡＬＣ版、または鉄筋コンクリート造体、または合板である屋根の架台設置構造。
【請求項９】
請求項４または請求項６において、前記各ねじ部材がドリル付きタッピンねじであり、前記各シール用テープがブチルテープである屋根の架台設置構造。
【発明の詳細な説明】
【技術分野】
【０００１】
この発明は、シート防水の外断熱屋根において、太陽光発電設備，空調設備などの設備や、そのほか屋上設置物を設置する構造として、防水性能を備えた支持架台となる屋根の架台設置構造に関する。
【背景技術】
【０００２】
一般に、デッキプレート等の金属屋根ではないＲＣ造等の陸屋根において、空調設備や太陽光発電設備などにおける設備架台を設置する場合、屋根面上に架台固定用の基礎を設ける。この場合、屋根防水は、架台基礎に配置した納まりとする必要がある。
【０００３】
一方、デッキプレート等の金属下地の上に断熱材を配置したシート防水の外断熱屋根（デッキ下地屋根と称す）においては、次のものが提案されている（特許文献１）。これはリユース目的とした発明であり、製作工場で予め屋根パネルとしてパネル化しておき、工事現場でパネル間目地を処理し、デッキ下地屋根を構築するものである。
【先行技術文献】
【特許文献】
【０００４】
【特許文献１】特開２００７−１９７９４９号公報
【特許文献２】特開２０１１−２０８３６１号公報
【特許文献３】特開２００８−１１５６３５号公報
【発明の概要】
【発明が解決しようとする課題】
【０００５】
陸屋根に設置される設備架台固定用基礎は、コンクリート製のものが多く、その場合、屋根面への荷重が増加するという問題がある。
また、上記したデッキ下地屋根の場合、防水シート上への架台固定用の基礎の構築が困難である。デッキ下地屋根では、外断熱屋根へ空調設備や太陽光発電設備などを設置する場合、デッキ下地または屋根梁から架台基礎が立ち上がる構成となるため、架台基礎が防水シートを貫通してしまう。そのため、防水性能確保への懸念が生じる。
【０００６】
このような課題を解決するものとして、図９に示す屋根の架台設置構造を提案されている（特許文献２）。この屋根の架台設置構造では、上記した外断熱屋根において、屋根下地４２上に、断熱材４３と共に防水シート４４で覆われる受け具４５が設けられ、防水シート４４の上から受け具４５上に嵩上げ台４６が配置される。この嵩上げ台４６は、上面から防水シート４４および受け具４５を貫通するドリル付きタッピングねじ等のねじ部材５２で屋根下地４２に固定される。嵩上げ台４６とその周辺の前記防水シート４４の上面部分は防水覆い材４７で覆われる。この防止覆い材４７の上から嵩上げ台４６上に、レール状に延びるつかみ具取付け用頭部４８ａを有する固定レール４８が配置されて、嵩上げ台４６にねじ部材５３で固定される。固定レール４８の下面および嵩上げ台４６の上面にはそれぞれ外側および内側のシール用テープ４９、５０が配置され、固定レール４８を固定するねじ部材５３が貫通しその貫通孔とねじ部材５３との間が密封される。架台のフレームには、固定レール４８のつかみ具取付け用頭部４８ａにつかみ状に取付けられるつかみ具５１が取付けられる。
【０００７】
この構成によると、屋根下地の上に断熱材および防水シートを設けた外断熱屋根において、屋根面への荷重増加を少なくし、かつ防水性能を高めて、太陽光発電設備や空調設備などの屋上設置物の架台を安定して設置することができる。
【０００８】
しかし、この構成の場合、防水シート４４で覆われる部分が防水施工ラインＬとなるため、同図に矢印Ｐ１で示す方向に吹き上げ風荷重が作用して、架台のフレームに取付けられるつかみ具５１の固定レール４８への固定部が破壊すると、同図に矢印Ｑ１で示す方向へ漏水する懸念が生じる。
【０００９】
この発明の目的は、屋根下地の上に断熱材および防水シートを設けた外断熱屋根において、屋根面への荷重増加を少なくし、防水性能を確保し、特に風の吹き上げ等によって架台取付用の固定レールの固定部分が損傷した場合にも漏水が生じないようにでき、太陽光発電設備や空調設備などの屋上設置物の架台を安定して設置することができる屋根の架台設置構造を提供することである。
【課題を解決するための手段】
【００１０】
この発明の屋根の架台設置構造は、屋根下地の上面に断熱材を設けてこの断熱材を防水シートで覆った屋根において、頭部およびこの頭部から下方に延びる複数の脚部を有し前記複数の脚部が前記断熱材に上面から突き刺さって前記屋根下地上に乗りかつ前記頭部の上面が前記断熱材の上面と略同じレベルにあって前記断熱材と共に前記防水シートで覆われる受け具と、前記防水シートの上から前記受け具上に配置され上面から防水シートおよび前記受け具を貫通するねじ部材で前記屋根下地に固定される嵩上げ基台と、この嵩上げ基台の周辺の前記防水シートの上面部分に渡って前記嵩上げ基台を覆う防水覆い材と、この防水覆い材を介して前記嵩上げ基台にその上面から側面に渡って被さり、ねじ部材で嵩上げ基台の側面に固定される断面逆Ｕ字状の嵩上げ基台カバーと、レール状に延びるつかみ具取付け用頭部を有し前記嵩上げ基台カバー上に配置されて嵩上げ基台カバーにねじ部材で固定される固定レールと、架台のフレームに取付けられ前記固定レールの前記つかみ具取付け用頭部につかみ状態に取付けられるつかみ具、とを備える。
上記構成において、前記つかみ具から前記固定レールに作用する持ち上げ方向の荷重に対して、前記嵩上げ基台カバーの前記ねじ部材による前記嵩上げ基台への固定部分よりも、前記固定レールの前記ねじ部材による前記嵩上げ基台カバーへの固定部分の方が破損し易いようにすることが好ましい。
【００１１】
この構成によると、複数の脚部を有する受け具を設けており、この受け具の脚部が断熱材の上面から突き刺さって屋根下地上に乗り、この受け具上に嵩上げ基台、嵩上げ基台カバーおよび固定レールを介して架台のフレームが設置されるため、架台の荷重は、断熱材に殆ど作用することなく屋根下地材で受けられる。そのため、屋根下地上に断熱材を配置する外断熱構造の屋根でありながら、設備の荷重による断熱材の凹みの問題を生じさせることなく、安定して架台を設置することができる。前記受け具は脚部を断熱材に突き刺すため、受け具の設置のために断熱材の一部を除去するなどの作業が不要であり、受け具の設置が簡単に行える。受け具は、断熱材を覆う防水シートにより、頭部を含めて全体が覆われるため、固定用のねじ部材の貫通部の防水処理だけで防水性を確保でき、防水処理が容易である。
【００１２】
また、前記嵩上げ基台およびこれに被さる嵩上げ基台カバーを設け、その上に固定レールを設けているため、固定レールに取付けられる設備架台のフレームが屋根面となる防水シートの上面から上方に離れると共に、防水覆い材の上面からも上方に離れる。このため、屋根面上を流れる雨水等が設備架台のフレームに触れるのを回避できる。
【００１３】
特に、前記嵩上げ基台を防水覆い材で覆い、この防水覆い材の外から嵩上げ基台に被さる嵩上げ基台カバーを設け、この基台カバー上に前記固定レールを設けたため、防水覆い材の嵩上げ基台上面を覆う部分が防水施工ラインとなる。そのため、設備架台の風の吹き上げ等で前記つかみ具から強い持ち上げ荷重が作用した場合に、その持ち上げ荷重で固定レールの嵩上げ基台カバーへの固定部が破壊しても、防水施工ラインより下方の部分へは影響せず、防水性能が維持できる。
【００１４】
前記持ち上げ荷重で、嵩上げ基台カバーの嵩上げ基台への固定箇所が破損したとしても、嵩上げ基台は防水覆い材で覆われているため、防水性能が維持できるが、嵩上げ基台カバーのねじ部材による取付箇所は、破損するとある程度は防水性能の低下を招くため、吹き上げ荷重等によって損傷しないようにすることが望ましい。
これにつき、嵩上げ基台カバーのねじ部材による固定部はねじ部材が水平方向であり、固定レールの嵩上げ基台カバーへの固定部はねじ部材が上下方向になるため、通常に設計，製作すると、つかみ具から固定レールに作用する持ち上げ方向の荷重に対して、前記嵩上げ基台カバーの前記ねじ部材による前記嵩上げ基台への固定部分よりも、前記固定レールの前記ねじ部材による前記嵩上げ基台カバーへの固定部分の方が破損し易くなり、固定レールを嵩上げ基台カバーに固定する部分の方が、前記嵩上げ基台カバーを前記嵩上げ基台へ固定する部分よりも先に破損し、嵩上げ基台カバーを嵩上げ基台へ固定する部分に破損が生じない。
【００１５】
しかし、持ち上げ方向の荷重に対して、前記嵩上げ基台カバーの前記嵩上げ基台への固定部分よりも、前記固定レールの前記嵩上げ基台カバーへの固定部分の方が破損し易くなるように、強度関係を確実に設定しておくことが好ましい。これにより、架台に風の吹き上げによる大きな持ち上げ荷重が作用した場合に、固定レールを嵩上げ基台カバーに固定する部分の方が、前記嵩上げ基台カバーを前記嵩上げ基台へ固定する部分よりも確実に先に破損し、嵩上げ基台カバーを嵩上げ基台へ固定する部分に破損が生じない。
【００１６】
また、受け具、嵩上げ基台、嵩上げ基台カバー、および固定レールで構成されるため、コンクリート造の架台基礎と異なり、軽量にできる。このように、屋根下地の上に断熱材および防水シートを設けた外断熱屋根において、屋根面への荷重増加を少なくし、かつ防水性能を確保して、太陽光発電設備や空調設備などの架台を安定して設置することができる。
【００１７】
この発明において、前記嵩上げ基台が、断面Ｕ字状の外側金属部材と、この外側金属部材の内側に嵌合する断面逆Ｕ字状の内側金属部材との組合せ体からなり、前記内側金属部材の内部空間に断熱材が充填されるものであっても良い。前記断熱材としては、硬質ウレタンフォーム等が用いられる。
この構成の場合、防水性能がさらに向上する。
【００１８】
この発明において、前記嵩上げ基台の外側金属部材側面部と内側金属部材側面部との間に、前記嵩上げ基台カバーを固定するねじ部材が貫通しその貫通孔とねじ部材との間を密封するシール用テープが配置されるものであっても良い。
この構成の場合、防水性能がさらに向上する。
【００１９】
この発明において、前記嵩上げ基台が断面Ｕ字状の金属部材単体からなり、この金属部材単体の内部空間に硬質ウレタンフォームが充填されるものであっても良い。
この構成の場合も防水性能がさらに向上する。
【００２０】
この発明において、前記嵩上げ基台を構成する金属部材単体の外側面に、前記嵩上げ基台カバーを固定するねじ部材が貫通しその貫通孔とねじ部材との間を密封するシール用テープが配置されるものであっても良い。
この構成の場合も防水性能がさらに向上する。
【００２１】
この発明において、前記屋根下地がデッキプレートであり、このデッキプレートの波山部分の上面に前記受け具が配置され、前記固定レールの前記つかみ具取付け用頭部は前記デッキプレートの波山部分の稜線方向に沿って延びるものであっても良い。
この構成の場合、屋根がデッキ下地屋根であるため、工場製作されるリユースを目的としたものである場合でも、あらかじめ製作段階で架台を設置することがき、架台も含めた屋根全体のリユースが可能である。
【００２２】
この発明において、前記屋根下地がＡＬＣ版、または鉄筋コンクリート造体、または合板であっても良い。すなわち、屋根がデッキ下地屋根以外の外断熱屋根であっても、屋根面への荷重増加を少なくし、かつ防水性能を確保して、空調設備や太陽光発電設備などの架台を設置することができる。
【００２３】
この発明において、前記受け具が下向き溝形の鋼板折り曲げ品であり、前記各ねじ部材がドリル付きタッピンねじであり、前記各シール用テープがブチルテープであっても良い。この構成の場合、製造や現場施工がより一層容易となる。
【００２４】
この発明において、前記架台のフレームが、設備架台のフレームであっても良い。例えば、前記架台のフレームが、複数の太陽電池モジュールを設置した設備架台のフレームであっても良い。太陽光発電設備の架台のフレームである場合、外断熱屋根への太陽光発電設備の設置を、屋根面への荷重負担を少なくし、かつ防水性能を確保して、容易に行うことができる。
【発明の効果】
【００２５】
この発明の屋根の架台設置構造は、屋根下地の上面に断熱材を設けてこの断熱材を防水シートで覆った屋根において、頭部およびこの頭部から下方に延びる複数の脚部を有し前記複数の脚部が前記断熱材に上面から突き刺さって前記屋根下地上に乗りかつ前記頭部の上面が前記断熱材の上面と略同じレベルにあって前記断熱材と共に前記防水シートで覆われる受け具と、前記防水シートの上から前記受け具上に配置され上面から防水シートおよび前記受け具を貫通するねじ部材で前記屋根下地に固定される嵩上げ基台と、この嵩上げ基台の周辺の前記防水シートの上面部分に渡って前記嵩上げ基台を覆う防水覆い材と、この防水覆い材を介して前記嵩上げ基台にその上面から側面に渡って被さり、ねじ部材で嵩上げ基台の側面に固定される断面逆Ｕ字状の嵩上げ基台カバーと、レール状に延びるつかみ具取付け用頭部を有し前記嵩上げ基台カバー上に配置されて嵩上げ基台カバーにねじ部材で固定される固定レールと、架台のフレームに取付けられ前記固定レールの前記つかみ具取付け用頭部につかみ状態に取付けられるつかみ具とを備えたため、屋根下地の上に断熱材および防水シートを設けた外断熱屋根において、屋根面への荷重増加を少なくし、かつ防水性能を確保して、特に、風の吹き上げ等によって架台取付用の固定レールの固定部分が損傷した場合にも漏水が生じないようにでき、太陽光発電設備や空調設備などの屋上設置物の架台を安定して設置することができる。
【図面の簡単な説明】
【００２６】
【図１】（Ａ）はこの発明の一実施形態にかかる屋根の架台設置構造を採用したデッキ下地屋根の平面図、（Ｂ）は同側面図である。
【図２】同架台設置構造の概略の構成を示す斜視図である。
【図３】（Ａ）は同架台設置構造の正面断面図、（Ｂ）はその受け具の斜視図である。
【図４】同架台設置構造の平面図である。
【図５】同架台設置構造における防水シートの止着構造を示す斜視図である。
【図６】同架台設置構造におけるつかみ具の取付け体を示す正面断面図である。
【図７】同架台設置構造におけるつかみ具への設備フレームの取付け状態を示す側面図である。
【図８】この発明の他の実施形態にかかる屋根の架台設置構造の正面断面図である。
【図９】従来例の正面断面図である。
【発明を実施するための形態】
【００２７】
この発明の一実施形態を図１ないし図７と共に説明する。図１（Ａ）はこの発明の一実施形態にかかる架台設置構造を採用した屋根の平面図を示し、図１（Ｂ）はその屋根の右側面図を示す。この屋根１には、複数の太陽電池モジュール３１を備えた太陽光発電設備３０が設置されている。図２は、図１の屋根１において、太陽光発電設備３０の一つの太陽電池モジュール３１が設置された部分の概略の構成を斜視図で示している。この実施形態の屋根１は、屋根下地となるデッキプレート２の上面に断熱材３を設けて、この断熱材３をさらに防水シート４で覆ってなるデッキ下地屋根である。
【００２８】
この屋根１における架台設置構造は、前記太陽光発電設備３０の設備架台のフレーム３２を取付ける構造であって、図３に示す受け具５、嵩上げ基台６、防水覆い材７、嵩上げ基台カバー２３、固定レール８、および図６に示すつかみ具１１を備える。図２において、設備架台のフレーム３２は、ここでは太陽光発電設備３０における複数の太陽電池モジュール３１を設置したフレームである。なお、設備架台は、太陽光発電設備３０の設備架台のほかに、例えば空調室外機、キュービクル、アンテナ等の設備を設置する架台であっても良い。また、前記フレームは、設備架台のフレームに限らず、例えば、屋上に設置される看板や手摺等の任意の屋上設置物の架台のフレームであっても良い。
【００２９】
屋根１の断熱材３の素材は発泡ポリスチレンからなり、この断熱材３を覆う防水シート４の素材は塩化ビニルシートからなる。この場合、断熱材３を防水シート４で直接覆うと、断熱材３と防水シート４の接触面において経時的に断熱材（発泡ポリスチレン）３が溶け、これにより防水シート（塩化ビニル）４が硬化してしまうという不具合が生じる。そこで、ここでは図３のように、断熱材３と防水シート４の間に絶縁シート１４を介在させることで、断熱材３と防水シート４が直接に触れないようにしている。断熱材３の素材としては、このほか発泡ウレタン等の発泡樹脂や、ロックウールボードや、グラスウール等を使用しても良く、この場合には絶縁シート１４は不要である。
【００３０】
受け具５は、頭部５ａ、およびこの頭部５ａから下方に延びる複数の脚部５ｂを有する金具であって、これら複数の脚部５ｂが断熱材３にその上面から突き刺さって屋根下地であるデッキプレート２の上面に載せられる。つまり、受け具５は、屋根下地であるデッキプレート２の波山部分２ａの上面に配置される。この配置状態で、受け具５の頭部５ａの上面は、断熱材３の上面と略同じレベルに揃えられる。この受け具５は、断熱材３と共に防水シート４で覆われる。ここでは、受け具５として、下向き溝形の鋼板折り曲げ品が用いられている。受け具５は、この他にＣ形鋼の切片であっても良い。
【００３１】
前記防水シート４の上から、前記受け具５の上に嵩上げ基台６が配置され、この嵩上げ基台６は、その上面から防水シート４および受け具５を貫通するねじ部材１２により屋根下地であるデッキプレート２に固定される。ねじ部材１２としてドリル付きタッピンねじが用いられている。嵩上げ基台６は、断面Ｕ字状の外側金属部材６Ａと、この外側金属部材６Ａの内側に嵌合する断面逆Ｕ字状の内側金属部材６Ｂとの組合せ体からなり、内側金属部材６Ｂの内部空間に硬質ウレタンフォーム２４が充填される。硬質ウレタンフォーム２４の代わりに、他の断熱材を充填しても良い。外側金属部材６Ａおよび内側金属部材６Ｂは、例えばＣ形鋼の切片からなる。
【００３２】
このように、嵩上げ基台６を、その上面から防水シート４および受け具５を貫通するねじ部材１２によりデッキプレート２に固定すると、固定ディスクを用いた機械的固定方法によらず、防水シート４を断熱材３と共にデッキプレート２に固定できる。ただし、嵩上げ基台６の配置部以外の箇所では、図５に示すように固定ディスク２１を用いて防水シート４を断熱材３と共にデッキプレート２に固定している。固定ディスク２１は、その頭部をディスク形状としたビスであり、その頭部と防水シート４との間には補強シート２２が介在させてある。このように固定ディスク２１を用いるとしても、防水シート４の固定箇所の一部を、固定ディスク２１によらず嵩上げ基台６の固定で兼用することができるので、固定ディスク２１の使用個数を低減でき、コスト低減が可能となる。
【００３３】
また、固定ディスク２１を用いて防水シート４を固定する機械的固定方法では、風荷重によって防水シート４にばたつき（フラッタリング）が生じて、固定ディスク２１に緩みが生じる可能性があるが、嵩上げ基台６の固定を防水シート４の固定に兼用した箇所では、固定手段であるねじ部材１２が受け具５を貫通してデッキプレート２に達しているため、緩み止め効果が期待できるという利点もある。
【００３４】
防水覆い材７は、嵩上げ基台６、およびその周辺の防水シート４の上面部分に渡って覆う部材であり、嵩上げ基台６の端面の開口となる小口部分も覆う。防水覆い材７は、シート状のものであっても、板材を折り曲げて形成した固形の役物であっても良く、この実施形態では防水性のシートを用いている。
【００３５】
この防水覆い材７を介して、嵩上げ基台６には、その上面から側面に渡って、断面逆Ｕ字状の嵩上げ基台カバー２３が被さる。嵩上げ基台カバー２３は、例えばリップ溝形鋼の切片からなる。この嵩上げ基台カバー２３は、ねじ部材２５で嵩上げ基台６の側面に固定される。ねじ部材２５としてドリル付きタッピンねじが用いられている。嵩上げ基台６の外側金属部材６Ａの両側面部と内側金属部材６Ｂの両側面部との間にはシール用テープ９が配置される。このシール用テープ９により、嵩上げ基台カバー２３を固定するねじ部材２５が貫通する前記外側金属部材６Ａおよび内側金属部材６Ｂの貫通孔とねじ部材２５との間が密封される。シール用テープ９は、数mm程度の厚さを有する厚手の樹脂製弾性シートであることが好ましく、ここではブチルテープが用いられている。シール用テープ９は、例えば両面粘着テープとされる。
【００３６】
固定レール８は、レール状に延びるつかみ具取付け用頭部８ａを有し、嵩上げ基台カバー２３上に配置されて、嵩上げ基台カバー２３に複数のねじ部材１３で固定される。嵩上げ基台カバー２３は嵩上げ基台６よりも高く形成され、これら嵩上げ基台カバー２３の上面板部分との嵩上げ基台６の上面板部分との間には隙間が生じていて、ねじ部材１３は嵩上げ基台６の上面に達しない。
【００３７】
固定レール８は、断面が不等脚のコ字状の一対のレール分割体１８，１８を背合わせに配置して構成される。各レール分割体１８，１８は鋼製である。この固定レール８は、そのつかみ具取付け用頭部８ａが、屋根下地であるデッキプレート２の波山部分２ａの稜線方向に沿って延びるように配置される。ここでも、ねじ部材１３としてドリル付きタピンねじが用いられている。ねじ部材１３は、具体的には、各レール分割体１８，１８毎に、その下側のフランジの上面から嵩上げ基台カバー２３の上面部となるウェブ部に貫通して固定する。
【００３８】
つかみ具１１は設備架台のフレーム３２に取付けられる金具であって、このつかみ具１１が図６のように固定レール８のつかみ具取付け用頭部８ａにつかみ状態に取付けられることによって、太陽光発電設備の設備架台が屋根１に設置される。このつかみ具１１は、左右一対のつかみ具分割体１５Ａ，１５Ｂと、これら両つかみ具分割体１５Ａ，１５Ｂを連結するねじ部材であるボルト１６とでなる。ボルト１６は一方のつかみ具分割体１５Ａを貫通して他方のつかみ具分割体１５Ｂのねじ孔に螺合させることにより、両つかみ具分割体１５Ａ，１５Ｂが互いに接近するように構成されている。両つかみ具分割体１５Ａ，１５Ｂは、その並び方向に向いて互いに対向する一対のリップ状の立片１５ａ，１５ａを有し、前記ボルト１６による締め込みにより両立片１５ａ，１５ａ間で固定レール８のつかみ具取付け用頭部８ａを挟み込むようにされている。また、両つかみ具分割体１５Ａ，１５Ｂのうち、一方のつかみ具分割体１５Ａの上面には、つかみ具１１が固定レール８のつかみ具取付け用頭部８ａに取付けられた状態で、両つかみ具分割体１５Ａ，１５Ｂの並び方向の略中央位置となる位置に、フレーム締付け用ボルト１９が立設されている。つかみ具１１の側面図を示す図７のように、フレーム締付け用ボルト１９を、設備架台のフレーム３２のボルト挿通孔（不図示）に挿通し、このボルト１９に螺合させたナット２０でフレーム３２をつかみ具１１の上面に締め付けることにより、設備架台のフレーム３２がつかみ具１１の上に取付けられる。
【００３９】
なお、つかみ具１１は、図６および図７に示す構成のものに限らず、固定レール８のつかみ具取付け用頭部８ａを挟み込む機能と、設備架台のフレーム３２に取付けられる機能とを備えたものであれば、どのような構成のものであってもかまわない。
【００４０】
上記構成の屋根の架台設置構造によると、複数の脚部５ｂを有する受け具５を設けており、この受け具５の脚部５ｂが断熱材３に上面から突き刺さって屋根下地であるデッキプレート２上に乗り、この受け具５上に嵩上げ基台６、嵩上げ基台カバー２３、および固定レール８を介して設備架台のフレーム３２が設置される。このため、設置架台の荷重は、断熱材３に殆ど作用することなくデッキプレート２で受けられる。そのため、デッキプレート２上に断熱材３を配置する外断熱構造の屋根でありながら、設備の荷重による断熱材３の凹みの問題を生じさせることなく、安定して設備架台を設置することができる。前記受け具５は脚部５ｂを断熱材３に突き刺すため、受け具５の設置のために断熱材３の一部を除去するなどの作業が不要であり、受け具５の設置が簡単に行える。受け具５は、断熱材３を覆う防水シート４により、頭部５ａを含めて全体が覆われるため、固定用のねじ部材１２の貫通部の防水処理だけで防水性を確保でき、防水処理が容易である。
【００４１】
また、嵩上げ基台６およびこれに被さる嵩上げ基台カバー２３を設け、その上に固定レール８を設けているため、固定レール８に取付けられる設備架台のフレーム３２が屋根面となる防水シート４の上面から上方に離れると共に、防水覆い材７の上面からも上方に離れる。このため、屋根面上を流れる雨水等が設備架台のフレーム３２に触れるのを回避できる。
【００４２】
特に、嵩上げ基台６を防水覆い材７で覆い、この防水覆い材７の外から嵩上げ基台６に被さる嵩上げ基台カバー２３を設け、この基台カバー２３上に前記固定レール８を設けたため、防水覆い材７の嵩上げ基台６上面を覆う部分が防水施工ラインＬとなる。そのため、設備架台の風の吹き上げ等でつかみ具１１から同図の矢印Ｐ方向へ強い持ち上げ荷重が作用した場合に、固定レール８の嵩上げ基台カバー２３への固定部が破壊しても、防水施工ラインＬより下方の部分へは影響せず、防水性能が維持できる。
【００４３】
前記持ち上げ荷重で、嵩上げ基台カバー２３のねじ部材２５による固定箇所が破損したとしても、嵩上げ基台６を防水覆い材７で覆われているため、防水性能が維持できるが、嵩上げ基台カバー２３のねじ部材２５による取付箇所は、破損するとある程度は防水性能の低下を招くため、吹き上げ荷重等によって損傷しないようにすることが望ましい。
嵩上げ基台カバー２３のねじ部材２５による固定部はねじ部材２５が水平方向であり、固定レール８の嵩上げ基台カバー２３への固定部はねじ部材１３が上下方向になるため、通常に設計，製作すると、つかみ具１１から固定レール８に作用する持ち上げ方向の荷重に対して、前記嵩上げ基台カバー２３の前記ねじ部材２５による前記嵩上げ基台６への固定部分よりも、前記固定レール８の前記ねじ部材１３による前記嵩上げ基台カバー２３への固定部分の方が破損し易くなり、固定レール８を嵩上げ基台カバー２３に固定する部分の方が、前記嵩上げ基台カバー２３を前記嵩上げ基台６へ固定する部分よりも先に破損し、嵩上げ基台カバー２３を嵩上げ基台６へ固定する部分に破損が生じない。
しかし、持ち上げ方向の荷重に対して、前記嵩上げ基台カバー２３の前記嵩上げ基台６への固定部分よりも、前記固定レール８の前記嵩上げ基台カバー２３への固定部分の方が破損し易くなるように、強度関係を確実に設定しておくことが好ましい。これにより、架台に風の吹き上げによる大きな持ち上げ荷重が作用した場合に、固定レール８を嵩上げ基台カバー２３に固定する部分の方が、前記嵩上げ基台カバー２３を前記嵩上げ基台６へ固定する部分よりも確実に先に破損し、嵩上げ基台カバー２３を嵩上げ基台６へ固定する部分に破損が生じない。
【００４４】
また、受け具５、嵩上げ基台６、嵩上げ基台カバー２３、および固定レール８で構成されるため、コンクリート造の設備架台基礎と異なり、軽量にできる。このように、デッキプレート２の上に断熱材３および防水シート４を設けた外断熱屋根において、屋根面への荷重増加を少なくし、かつ防水性能を確保して、太陽光発電設備や空調設備などの設備架台を安定して設置することができる。
【００４５】
また、固定レール８は、レール状に延びるつかみ具取付け用頭部８ａを有するので、長さ方向のどこにでもつかみ具１１を取付けることができ、設備架台の設置作業の作業性が向上する。
【００４６】
また、この実施形態では、嵩上げ基台６を構成する外側金属部材６Ａの側面部と内側金属部材６Ｂの側面部との間に、嵩上げ基台カバー２３を固定するねじ部材２５が貫通しその貫通孔とねじ部材２５との間を密封するシール用テープ９が配置されるので、防水性能がさらに向上する。内側金属部材６Ｂの内部空間に硬質ウレタンフォーム２４が充填されることも、防水性能の向上に寄与する。
【００４７】
また、この実施形態では、屋根１がデッキ下地屋根であるため、屋根１が工場製作されるリユースを目的としたものである場合でも、あらかじめ製作段階で設備架台を設置することができ、設備架台を含めた屋根全体のリユースも可能となる。
【００４８】
図８は、この発明の他の実施形態を示す。なお同図では、つかみ具１１の図示を省略している。この屋根の架台設置構造では、図１〜図７の実施形態において、嵩上げ基台６が断面Ｕ字状の金属部材単体で構成されており、その側面部と防水覆い材７の側面部との間にシール用テープ９が配置されている。その他の構成および作用効果は図１〜図７の実施形態の場合と同様である。
【００４９】
また、以上の実施形態では、屋根１の屋根下地がデッキプレート２の場合につき説明したが、デッキプレート２に代えてＡＬＣ版や、ＲＣ構造の建物の屋根部となる鉄筋コンクリート造体であっても、あるいは木製の合板であっても良く、図１〜図７の実施形態の場合と同様の作用効果を得ることができる。
【符号の説明】
【００５０】
１…屋根                                                                        ２…デッキプレート（屋根下地）
３…断熱材
４…防止シート
５…受け具
６…嵩上げ基台
６Ａ…外側金属部材
６Ｂ…内側金属材
７…防水覆い材
８…固定レール
８ａ…つかみ具取付け用頭部
９…シール用テープ
１１…つかみ具
１２…ねじ部材
１３…ねじ部材
２３…嵩上げ基台カバー
２４…硬質ウレタンフォーム
２５…ねじ部材
３２…フレーム
【図１】
0005964074.tif 000002
【図２】
0005964074.tif 000003
【図３】
0005964074.tif 000004
【図４】
0005964074.tif 000005
【図５】
0005964074.tif 000006
【図６】
0005964074.tif 000007
【図７】
0005964074.tif 000008
【図８】
0005964074.tif 000009
【図９】
0005964074.tif 000010